(57)【要約】【課題】輝度信号の帯域、またはクロマのサブキャリアの位相に影響されることなく、Ｙ動き及びＣ動きの検出精度を向上でき、誤判定を防止し、それによる画質の劣化を防止できる映像信号処理装置及びそれを用いたテレビ受像機を実現する。【解決手段】仮３ＤＹ／Ｃ分離動き検出回路を設けて、現在のフレームと前のフレームの隣り合う３ラインのコンポジット映像信号に基づき現在のフレーム及び前のフレームにおけるＹ信号を抽出し、Ｙ動き検出部により現在フレームのＹ信号と前のフレームのＹ信号の差分に応じてＹ動き検出を行い、Ｙ動き検出信号ＭＶＤｙ  が出力され、Ｃ動き検出部により、現在のフレームにおける隣り合う３ラインのＹ信号に基づきＣ動き検出が行われ、Ｃ動き検出信号ＭＶＤｃ  が出力され、動き検出信号ＭＶＤｙ  とＭＶＤｃ  に従って、現在のフレームと前のフレームから分離したＣ信号の差分、または所定の値０を選択しＣ動き係数を生成する。【選択図】    図１
2004312558.tif 000002
【特許請求の範囲】
【請求項１】
現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、
上記現在のフレームにおける垂直方向に所定の間隔をもつ３つのコンポジット映像信号と上記前のフレームの同位置における垂直方向に所定の３つのコンポジット映像信号に基づき、上記現在のフレームにおける上記３つのコンポジット映像信号に含まれている輝度信号を抽出し、抽出した輝度信号に残留した色信号成分の相関を検出し、当該検出の結果に応じて第２の動き検出信号を出力する第２の動き検出部と、
上記現在のフレームにおける上記３つのコンポジット映像信号に基づき算出した現在のフレームにおける色信号と上記前のフレームのコンポジット映像信号とに基づき算出した前のフレームにおける色信号の絶対値の差分を計算する色信号差分演算手段と、
上記第１の動き検出信号または上記第２の動き検出信号の何れかが動きがあることを示しているとき、上記色信号差分演算手段によって算出した上記色信号の差分を選択し、上記第１の動き検出信号及び上記第２の動き検出信号がともに動きがないことを示しているとき、動きがないことを示す所望の値を選択する選択手段と、
上記選択手段によって選択した値に応じて、動きを示す動き係数を出力する動き係数生成手段と
を有する映像信号処理装置。
【請求項２】
上記第２の動き検出部は、上記抽出した輝度信号と、当該輝度信号を上記色副搬送波の１周期分だけ遅延した遅延信号との差分に応じて、第１の水平相関検出信号を出力する第１の水平相関検出部と、
上記抽出した輝度信号を上記色副搬送波の周波数を中心周波数とするバンドパスフィルタを通して得た信号の振幅に応じて、第２の水平相関検出信号を出力する第２の水平相関検出部と、
上記第１と第２の水平相関検出信号の論理積に応じて、色信号の水平相関を示す水平相関検出信号を生成する論理回路と
を有する請求項１記載の映像信号処理装置。
【請求項３】
上記第２の動き検出部は、上記現在のフレームにおける垂直方向における３つのコンポジット映像信号から抽出した第１、第２と第３の輝度信号に応じて、対応する色信号が同相であるコンポジット映像信号から抽出した第１と第３の輝度信号の差分に応じて、第１の垂直相関検出信号を出力する第１の垂直相関検出部と、
対応する色信号が逆相であるコンポジット映像信号に対応する第１と第２の輝度信号が色副搬送波の周波数を中心周波数とするバンドパスフィルタを通過した信号の差分に応じて、第２の垂直相関検出信号を出力する第２の垂直相関検出部と、
対応する色信号が逆相であるコンポジット映像信号に対応する第２と第３の輝度信号が色副搬送波の周波数を中心周波数とするバンドパスフィルタを通過した信号の差分に応じて、第３の垂直相関検出信号を出力する第３の垂直相関検出部と、
上記第１、第２及び第３の垂直相関検出信号の論理積に応じて、色信号の垂直相関を示す垂直相関検出信号を生成する論理回路と、
上記水平相関検出信号と上記垂直相関検出信号の論理積に応じて、上記第２の動き検出信号を出力する論理演算回路と
を有する請求項２記載の映像信号処理装置。
【請求項４】
現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、
上記現在のフレームにおける垂直方向に所定の間隔をもつ３つのコンポジット映像信号と上記前のフレームの同位置における垂直方向に所定の３つのコンポジット映像信号に基づき、上記現在のフレームにおける上記３つのコンポジット映像信号に含まれている輝度信号を抽出し、抽出した輝度信号に残留した色信号成分の相関を検出し、当該検出の結果に応じて第２の動き検出信号を出力する第２の動き検出部と、
上記現在のフレームにおける上記３つのコンポジット映像信号に基づき算出した現在のフレームにおける色信号と上記前のフレームのコンポジット映像信号とに基づき算出した前のフレームにおける色信号の絶対値の差分を計算する色信号差分演算手段と、
上記第１の動き検出信号が動きありを示すとき、上記色信号差分演算手段によって算出した上記色信号の差分を選択し、上記第１の動き検出信号が動きなしを示すとき、動きがないことを示す所望の第１の値を選択する第１の選択手段と、
上記第２の動き検出信号が動きありを示すとき、動きがあることを示す所望の第２の値を選択し、上記第２の動き検出信号が動きなしを示すとき、上記第１の選択手段の出力信号を選択する第２の選択手段と、
上記第２の選択手段によって選択した値に応じて、動きを示す動き係数を出力する動き係数生成手段と
を有する映像信号処理装置。
【請求項５】
上記第２の動き検出部は、上記抽出した輝度信号と、当該輝度信号を上記色副搬送波の１周期分だけ遅延した遅延信号との差分に応じて、第１の水平相関検出信号を出力する第１の水平相関検出部と、
上記抽出した輝度信号を上記色副搬送波の周波数を中心周波数とするバンドパスフィルタを通して得た信号の振幅に応じて、第２の水平相関検出信号を出力する第２の水平相関検出部と、
上記第１と第２の水平相関検出信号の論理積に応じて、色信号の水平相関を示す水平相関検出信号を生成する論理回路と
を有する請求項４記載の映像信号処理装置。
【請求項６】
上記第２の動き検出部は、上記現在のフレームにおける垂直方向における３つのコンポジット映像信号から抽出した第１、第２と第３の輝度信号に応じて、対応する色信号が同相であるコンポジット映像信号から抽出した第１と第３の輝度信号の差分に応じて、第１の垂直相関検出信号を出力する第１の垂直相関検出部と、
対応する色信号が逆相であるコンポジット映像信号に対応する第１と第２の輝度信号が色副搬送波の周波数を中心周波数とするバンドパスフィルタを通過した信号の差分に応じて、第２の垂直相関検出信号を出力する第２の垂直相関検出部と、
対応する色信号が逆相であるコンポジット映像信号に対応する第２と第３の輝度信号が色副搬送波の周波数を中心周波数とするバンドパスフィルタを通過した信号の差分に応じて、第３の垂直相関検出信号を出力する第３の垂直相関検出部と、
上記第１、第２及び第３の垂直相関検出信号の論理積に応じて、色信号の垂直相関を示す垂直相関検出信号を生成する論理回路と、
上記水平相関検出信号と上記垂直相関検出信号の論理積に応じて、上記第２の動き検出信号を出力する論理演算回路と
を有する請求項５記載の映像信号処理装置。
【請求項７】
コンポジット映像信号に基づいて生成した動き係数に応じて画像の動きを判定し、動きがない静止画に対してフレームコムフィルタを用いて、上記コンポジット映像信号から輝度信号と色信号を分離し、動きがある動画に対してバンドパスフィルタまたは２次元コムフィルタを用いて、上記コンポジット映像信号から輝度信号と色信号を分離して映像信号を再生するテレビ受像機であって、
現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、
上記現在のフレームにおける垂直方向に所定の間隔をもつ３つのコンポジット映像信号と上記前のフレームの同位置における垂直方向に所定の３つのコンポジット映像信号に基づき、上記現在のフレームにおける上記３つのコンポジット映像信号に含まれている輝度信号を抽出し、抽出した輝度信号に残留した色信号成分の相関を検出し、当該検出の結果に応じて第２の動き検出信号を出力する第２の動き検出部と、
上記現在のフレームにおける上記３つのコンポジット映像信号に基づき算出した現在のフレームにおける色信号と上記前のフレームのコンポジット映像信号とに基づき算出した前のフレームにおける色信号の絶対値の差分を計算する色信号差分演算手段と、
上記第１の動き検出信号または上記第２の動き検出信号の何れかが動きがあることを示しているとき、上記色信号差分演算手段によって算出した上記色信号の差分を選択し、上記第１の動き検出信号及び上記第２の動き検出信号がともに動きがないことを示しているとき、動きがないことを示す所望の値を選択する選択手段と、
上記選択手段によって選択した値に応じて、動きを示す上記動き係数を出力する動き係数生成手段と
を有するテレビ受像機。
【請求項８】
コンポジット映像信号に基づいて生成した動き係数に応じて画像の動きを判定し、動きがない静止画に対してフレームコムフィルタを用いて、上記コンポジット映像信号から輝度信号と色信号を分離し、動きがある動画に対してバンドパスフィルタまたは２次元コムフィルタを用いて、上記コンポジット映像信号から輝度信号と色信号を分離して映像信号を再生するテレビ受像機であって、
現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、
上記現在のフレームにおける垂直方向に所定の間隔をもつ３つのコンポジット映像信号と上記前のフレームの同位置における垂直方向に所定の３つのコンポジット映像信号に基づき、上記現在のフレームにおける上記３つのコンポジット映像信号に含まれている輝度信号を抽出し、抽出した輝度信号に残留した色信号成分の相関を検出し、当該検出の結果に応じて第２の動き検出信号を出力する第２の動き検出部と、
上記現在のフレームにおける上記３つのコンポジット映像信号に基づき算出した現在のフレームにおける色信号と上記前のフレームのコンポジット映像信号とに基づき算出した前のフレームにおける色信号の絶対値の差分を計算する色信号差分演算手段と、
上記第１の動き検出信号が動きありを示すとき、上記色信号差分演算手段によって算出した上記色信号の差分を選択し、上記第１の動き検出信号が動きなしを示すとき、動きがないことを示す所望の第１の値を選択する第１の選択手段と、
上記第２の動き検出信号が動きありを示すとき、動きがあることを示す所望の第２の値を選択し、上記第２の動き検出信号が動きなしを示すとき、上記第１の選択手段の出力信号を選択する第２の選択手段と、
上記第２の選択手段によって選択した値に応じて、動きを示す上記動き係数を出力する動き係数生成手段と
を有するテレビ受像機。
【発明の詳細な説明】
【０００１】
【発明の属する技術分野】
本発明は、コンポジット映像信号を用いて動きを検出する映像信号処理装置、特にいわゆる３次元Ｙ／Ｃ分離（輝度信号と色信号を分離）した映像信号を解析することによって動きを検出し、動き検出の精度を向上させる映像信号処理装置及びそれを用いたテレビ受像機に関するものである。
【０００２】
【従来の技術】
コンポジット映像信号、即ち、複合カラー映像信号は、輝度信号と搬送色信号及び同期信号が含まれている。テレビ受像機では、受信したコンポジット映像信号から輝度信号（Ｙ信号）及び搬送色信号（Ｃ信号）を分離し（以下、これをＹ／Ｃ分離と表記する）、カラー映像信号を再生する。
【０００３】
半導体集積回路の進歩によって、テレビ受像機には映像信号をライン単位で記憶するラインメモリ、さらにフレーム単位で記憶するフレームメモリが内蔵されるようになっている。このため、隣り合うライン及びフレーム間の輝度信号及び搬送色信号の相関性を利用して、櫛形フィルタ（コムフィルタ）でＹ／Ｃ分離を行う方法が一般的に採用されている。
【０００４】
ＮＴＳＣ方式のコンポジット映像信号では、隣接する水平走査期間の複合映像信号の搬送色信号の位相が逆相となっている。この性質を利用して、隣接する水平走査期間の映像データ間の論理演算により、Ｙ／Ｃ分離を実現できる。
しかし、この方法では、隣接する水平走査期間の映像信号間に相関性がない場合、Ｙ／Ｃ分離の結果に誤りが生じ、分離されたＹ信号に搬送色信号成分が残留し、いわゆるドット妨害が発生し、画質の劣化を引き起こす可能性がある。また、分離された搬送色信号のレベルが低下し、再現された色信号が劣化してしまう可能性もある。
【０００５】
この問題に対して、隣り合う３ライン間の垂直相関性をモニタし、映像信号の絵柄の特徴を検出する方法が提案されている。垂直相関性のあるライン間では、垂直方向のバンドパスフィルタ、即ちラインコムフィルタによりＹ／Ｃ分離を行い、輝度信号と色信号を再生する。一方、隣り合うライン間の垂直相関性がない場合、ラインコムフィルタの代わりに水平方向のバンドパスフィルタを用いて、Ｙ／Ｃ分離を行い、輝度信号と色信号を再生するいわば適応型２次元コムフィルタが提案されている。
また、Ｙ／Ｃ分離の他の方法として、動きがあると判定された部分について、映像信号のフィールド内において２次元のコムフィルタでＹ／Ｃ分離を行い、静止部分については、１フレーム間のコンポジット映像信号の差分信号、すなわちフレームコムフィルタによりＣ信号を抽出し、さらにコンポジット映像信号からＣ信号を減算することでＹ信号を生成するいわゆる動き適応型３次元コムフィルタを用いることもできる。
動き適応型３次元コムフィルタでは、コンポジット映像信号より動きを正しく検出する必要がある。
【０００６】
図１２は、連続した２フレーム間の隣り合う３ラインのコンポジット映像信号を用いて動き検出を行う映像信号処理装置の一例を示す回路図である。
図示のように、この映像信号処理装置は、現在の一フレームのコンポジット映像信号における隣り合う３ラインの映像信号ＣＶＨｃ０，ＣＶＨｃ１及びＣＶＨｃ２と、一つ前のフレームにおける隣り合う３ラインの映像信号ＣＶＨｐ０，ＣＶＨｐ１及びＣＶＨｐ２に基づき、輝度信号の動き（Ｙ動き）及び搬送色信号の動き（Ｃ動き）の検出を行い、これらの検出結果に基づき動き係数ＭＶＣを出力する。
【０００７】
図１２に示すように、本例の映像信号処理装置は、コムフィルタ１０，２０、Ｙ動き検出回路３０及びＣ動き検出回路４０を有している。以下、これらの各構成部分について説明する。
【０００８】
コムフィルタ１０は、現在のフレームにおける隣り合う３ラインの映像信号ＣＶＨｃ０，ＣＶＨｃ１及びＣＶＨｃ２を受けて、Ｙ／Ｃ分離を行い、現在のフレームにおけるこの３ライン分の映像信号におけるＹ信号Ｙｃｕｒ  、色信号Ｃｃｕｒ  を出力する。
【０００９】
コムフィルタ２０は、一つ前のフレームにおける隣り合う３ラインの映像信号ＣＶＨｐ０，ＣＶＨｐ１及びＣＶＨｐ２を受けて、Ｙ／Ｃ分離を行い、前のフレームにおけるこの３ライン分の映像信号におけるＹ信号Ｙｐｓｔ  、色信号Ｃｐｓｔ  を出力する。
【００１０】
Ｙ動き検出回路３０は、現在のフレームと前のフレームの３ラインコムフィルタ１０及び２０により生成したＹ信号Ｙｃｕｒ  及びＹｐｓｔ  の差分を演算し、当該差分の量を動き量として出力する。また、３ラインコムフィルタにより生成され高域成分（色成分）のレベルがＣレベル判定回路３２により判定され、当該判定の結果、Ｃ成分のレベルが大きい場合、Ｙ信号の差分量をローパスフィルタ３３を通してＹ動き係数生成回路３４に出力し、一方、Ｃ成分のレベルが小さい場合、Ｙ信号の差分量がそのままＹ動き係数生成回路３４に出力する。これは、色のついた横線はや斜め線など、垂直方向のサブキャリア（色副搬送波）の相関が非相関となる絵柄では、クロマ（色信号）の位相関係により、３ラインコムフィルタの出力のＹ信号にサブキャリア成分が残り、静止画においてもＹ信号の差分が生じ、そのまま差分を動き量とすると、静止画の部分を動画部分と誤判断するからである。サブキャリアの影響を抑制するために、Ｙ動き検出回路３０では、ローパスフィルタ３３により、Ｙ信号の差分の帯域を制限する。
Ｙ動き係数生成回路３４では、垂直エッジ判定回路３５の判定結果を受けて、絶対値演算、コアリング処理、さらに孤立点除去及びゲイン調整を行い、Ｙ動き係数ＭＶＣｙ  を出力する。
【００１１】
Ｃ動き検出回路４０は、クロマ相関検出器４１により、クロマのサブキャリアの水平相関またはライン間の相関が検出される。Ｙ動き検出と同様に斜め線で動き量が生じるため、クロマのサブキャリアの水平相関、ライン間の相関がどちらも検出された場合、コムフィルタ１０及び２０により出力された現在フレームと前フレームの色信号Ｃｃｕｒ  とＣｐｓｔ  を用いてこれらの差分を演算する。一方、相関が無しの場合は、色信号Ｃｃｕｒ  及びＣｐｓｔ  をそれぞれ０に置き換える。そして、差分演算回路４２により、色信号Ｃｃｕｒ  とＣｐｓｔ  の差分が算出される。差分演算回路４２の出力がＣ動き係数生成回路４３において、絶対演算、コアリング処理、及びゲイン調整が行われ、その結果をＣ動き係数ＭＶＣｃ  として出力される。
このように、Ｃ動き検出回路４０において、フレーム間のコンポジット映像信号から分離した色信号の差分をとることにより、動きのある動画の場合、非相関部分がずれて動き量として抽出することが可能となる。
【００１２】
【特許文献１】
特開平９−４６７２６号公報
【特許文献２】
特開平１０−１９１３８５号公報
【００１３】
【発明が解決しようとする課題】
ところで、上述した従来の映像信号処理装置において、色のついた輝度信号の高域では、Ｙ動き検出の感度が低くなり、その結果Ｙ高域の残像が現れたり、また、Ｃ動き検出がサブキャリアの絶対値の差分をとっているため、色の位相が１８０°ずれた部分において、色の動き量は０として検出され、動きがない静止部分として誤判定されてしまう。その結果、輝度差のない色のみの動きを検出できず、動き検出の誤判定による３次元Ｙ／Ｃ分離で色の残像やクロマのサブキャリアがＹ信号に漏れ込み、ドット状の画像が表示されるいわゆるドット障害が生じてしまうという不利益がある。
【００１４】
上述した従来の動き検出では、３ラインのコムフィルタの出力で仮のＹ／Ｃ分離を行い、このフレーム間の差分を動き量としているため、ライン間にクロマの相関が崩れる横線や斜め線の静止画が動きありと判定されやすい。これを回避するために、色があると判定した場合は、ローパスフィルタを通しているが、その結果Ｙ信号の高周波数帯域において動き検出の感度が低下してしまう。逆に、Ｙ信号の高周波帯域まで検出しようとすると、上記斜め線の高域で動きありと判定され、静止画の部分がちらついてしまうという問題がある。
【００１５】
また、上述したように、Ｃ動き検出はサブキャリアの絶対値の差分をとることにより、搬送色信号の位相が１８０°ずれた色の動きは検出されなくなり、その結果、輝度差のない色のみの動きを検出できなくなり、動き検出の誤判定によりドット妨害が発生してしまう。
【００１６】
さらにまた、従来の動き検出では、クロマの相関の有無で動き量算出を０に置き換えるため、色のついたサブキャリア周波数ｆｓｃ付近の斜め線でＹ信号がクロマのような相関をもつ画像パターンの静止画でＣ動き検出で一方のフレームでは相関があり、他方のフレームでは相関なしとなり、静止画が動きありと誤判定される。その結果、静止画の斜め線がラインコムフィルタで分離され、Ｙ信号の帯域の劣化が発生してしまう。
【００１７】
本発明は、かかる事情に鑑みてなされたものであり、その目的は、輝度信号の帯域によらず、また、クロマのサブキャリアの位相に影響されることなく、Ｙ動き及びＣ動きの検出精度を向上でき、誤判定を防止し、それによる画質の劣化を防止できる動き検出機能を有する映像信号処理装置及びそれを用いたテレビ受像機を提供することにある。
【００１８】
【課題を解決するための手段】
上記目的を達成するため、本発明の第１の観点の映像信号処理装置は、現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、上記現在のフレームにおける垂直方向に所定の間隔をもつ３つのコンポジット映像信号と上記前のフレームの同位置における垂直方向に所定の３つのコンポジット映像信号に基づき、上記現在のフレームにおける上記３つのコンポジット映像信号に含まれている輝度信号を抽出し、抽出した輝度信号に残留した色信号成分の相関を検出し、当該検出の結果に応じて第２の動き検出信号を出力する第２の動き検出部と、上記現在のフレームにおける上記３つのコンポジット映像信号に基づき算出した現在のフレームにおける色信号と上記前のフレームのコンポジット映像信号とに基づき算出した前のフレームにおける色信号の絶対値の差分を計算する色信号差分演算手段と、上記第１の動き検出信号または上記第２の動き検出信号の何れかが動きがあることを示しているとき、上記色信号差分演算手段によって算出した上記色信号の差分を選択し、上記第１の動き検出信号及び上記第２の動き検出信号がともに動きがないことを示しているとき、動きがないことを示す所望の値を選択する選択手段と、上記選択手段によって選択した値に応じて、動きを示す動き係数を出力する動き係数生成手段とを有する。
【００１９】
また、本発明の第２の観点の映像信号処理装置は、現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、上記現在のフレームにおける垂直方向に所定の間隔をもつ３つのコンポジット映像信号と上記前のフレームの同位置における垂直方向に所定の３つのコンポジット映像信号に基づき、上記現在のフレームにおける上記３つのコンポジット映像信号に含まれている輝度信号を抽出し、抽出した輝度信号に残留した色信号成分の相関を検出し、当該検出の結果に応じて第２の動き検出信号を出力する第２の動き検出部と、上記現在のフレームにおける上記３つのコンポジット映像信号に基づき算出した現在のフレームにおける色信号と上記前のフレームのコンポジット映像信号とに基づき算出した前のフレームにおける色信号の絶対値の差分を計算する色信号差分演算手段と、上記第１の動き検出信号が動きありを示すとき、上記色信号差分演算手段によって算出した上記色信号の差分を選択し、上記第１の動き検出信号が動きなしを示すとき、動きがないことを示す所望の第１の値を選択する第１の選択手段と、上記第２の動き検出信号が動きありを示すとき、動きがあることを示す所望の第２の値を選択し、上記第２の動き検出信号が動きなしを示すとき、上記第１の選択手段の出力信号を選択する第２の選択手段と、上記第２の選択手段によって選択した値に応じて、動きを示す動き係数を出力する動き係数生成手段とを有する。
【００２０】
また、本発明の第１の観点のテレビ受像機は、コンポジット映像信号に基づいて生成した動き係数に応じて画像の動きを判定し、動きがない静止画に対してフレームコムフィルタを用いて、上記コンポジット映像信号から輝度信号と色信号を分離し、動きがある動画に対してバンドパスフィルタまたは２次元コムフィルタを用いて、上記コンポジット映像信号から輝度信号と色信号を分離して映像信号を再生するテレビ受像機であって、現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、上記現在のフレームにおける垂直方向に所定の間隔をもつ３つのコンポジット映像信号と上記前のフレームの同位置における垂直方向に所定の３つのコンポジット映像信号に基づき、上記現在のフレームにおける上記３つのコンポジット映像信号に含まれている輝度信号を抽出し、抽出した輝度信号に残留した色信号成分の相関を検出し、当該検出の結果に応じて第２の動き検出信号を出力する第２の動き検出部と、上記現在のフレームにおける上記３つのコンポジット映像信号に基づき算出した現在のフレームにおける色信号と上記前のフレームのコンポジット映像信号とに基づき算出した前のフレームにおける色信号の絶対値の差分を計算する色信号差分演算手段と、上記第１の動き検出信号または上記第２の動き検出信号の何れかが動きがあることを示しているとき、上記色信号差分演算手段によって算出した上記色信号の差分を選択し、上記第１の動き検出信号及び上記第２の動き検出信号がともに動きがないことを示しているとき、動きがないことを示す所望の値を選択する選択手段と、上記選択手段によって選択した値に応じて、動きを示す上記動き係数を出力する動き係数生成手段とを有する。
【００２１】
また、本発明の第２の観点のテレビ受像機は、コンポジット映像信号に基づいて生成した動き係数に応じて画像の動きを判定し、動きがない静止画に対してフレームコムフィルタを用いて、上記コンポジット映像信号から輝度信号と色信号を分離し、動きがある動画に対してバンドパスフィルタまたは２次元コムフィルタを用いて、上記コンポジット映像信号から輝度信号と色信号を分離して映像信号を再生するテレビ受像機であって、現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、上記現在のフレームにおける垂直方向に所定の間隔をもつ３つのコンポジット映像信号と上記前のフレームの同位置における垂直方向に所定の３つのコンポジット映像信号に基づき、上記現在のフレームにおける上記３つのコンポジット映像信号に含まれている輝度信号を抽出し、抽出した輝度信号に残留した色信号成分の相関を検出し、当該検出の結果に応じて第２の動き検出信号を出力する第２の動き検出部と、上記現在のフレームにおける上記３つのコンポジット映像信号に基づき算出した現在のフレームにおける色信号と上記前のフレームのコンポジット映像信号とに基づき算出した前のフレームにおける色信号の絶対値の差分を計算する色信号差分演算手段と、上記第１の動き検出信号が動きありを示すとき、上記色信号差分演算手段によって算出した上記色信号の差分を選択し、上記第１の動き検出信号が動きなしを示すとき、動きがないことを示す所望の第１の値を選択する第１の選択手段と、上記第２の動き検出信号が動きありを示すとき、動きがあることを示す所望の第２の値を選択し、上記第２の動き検出信号が動きなしを示すとき、上記第１の選択手段の出力信号を選択する第２の選択手段と、上記第２の選択手段によって選択した値に応じて、動きを示す上記動き係数を出力する動き係数生成手段とを有する。
【００２２】
また、本発明では、好適には、上記第２の動き検出部は、上記抽出した輝度信号と、当該輝度信号を上記色副搬送波の１周期分だけ遅延した遅延信号との差分に応じて、第１の水平相関検出信号を出力する第１の水平相関検出部と、上記抽出した輝度信号を上記色副搬送波の周波数を中心周波数とするバンドパスフィルタを通して得た信号の振幅に応じて、第２の水平相関検出信号を出力する第２の水平相関検出部と、上記第１と第２の水平相関検出信号の論理積に応じて、色信号の水平相関を示す水平相関検出信号を生成する論理回路とを有する。
【００２３】
さらに、本発明では、好適には、上記第２の動き検出部は、上記現在のフレームにおける垂直方向における３つのコンポジット映像信号から抽出した第１、第２と第３の輝度信号に応じて、対応する色信号が同相であるコンポジット映像信号から抽出した第１と第３の輝度信号の差分に応じて、第１の垂直相関検出信号を出力する第１の垂直相関検出部と、対応する色信号が逆相であるコンポジット映像信号に対応する第１と第２の輝度信号が色副搬送波の周波数を中心周波数とするバンドパスフィルタを通過した信号の差分に応じて、第２の垂直相関検出信号を出力する第２の垂直相関検出部と、対応する色信号が逆相であるコンポジット映像信号に対応する第２と第３の輝度信号が色副搬送波の周波数を中心周波数とするバンドパスフィルタを通過した信号の差分に応じて、第３の垂直相関検出信号を出力する第３の垂直相関検出部と、上記第１、第２及び第３の垂直相関検出信号の論理積に応じて、色信号の垂直相関を示す垂直相関検出信号を生成する論理回路と、上記水平相関検出信号と上記垂直相関検出信号の論理積に応じて、上記第２の動き検出信号を出力する論理演算回路とを有する。
【００２４】
本発明によれば、現在のフレームにおける所定のコンポジット映像信号と所定の時間間隔をもつ前のフレームにおける所定のコンポジット映像信号に含まれている輝度信号に応じて、第１の動き検出信号即ちＹ動き検出信号が得られる。そして、現在のフレームにおける所定の間隔をもつ３つのコンポジット映像信号と前のフレームの同位置における３つのコンポジット映像信号に基づき、現在のフレームにおける上記３つのコンポジット映像信号に対応する３つの輝度信号を抽出し、抽出３つの輝度信号に残留している色信号成分の相関性を利用して第２の動き検出信号、即ちＣ動き検出信号が得られる。そして、第１と第２の動き検出信号に基づき、現在のフレームと前のフレームにおいて抽出した色信号の差分、または動き量を示す所望の定数を選択して、選択した値に基づき画像の動きを示す動き係数が生成される。
そして、本発明に係るテレビ受像機において、上記動き係数に基づき画像における動画部分と静止画部分を判定し、それぞれの部分において異なるＹ／Ｃ分離方法を用いて輝度信号と色信号を分離するので、Ｙ／Ｃ分離の精度を向上させ、画質の改善をはかる。
【００２５】
【発明の実施の形態】
第１実施形態
図１は本発明に係る映像信号処理装置の第１の実施形態を示す回路図である。
図示のように、本実施形態の映像信号処理装置は、コムフィルタ１０，２０、Ｙ動き検出回路３０、Ｃ動き検出回路４０Ａ、最大値回路（ＭＡＸ）５０及び伸長回路６０を有している。
【００２６】
以下、図１を参照しつつ、本実施形態の映像信号処理装置の各構成部分について説明する。
【００２７】
コムフィルタ１０及び２０は、それぞれ現在のフレーム及び前のフレームのコンポジット映像信号に対して、２次元Ｙ／Ｃ分離を行い、それぞれＹ信号とＣ信号を出力する。
コムフィルタ１０は、現在のフレームにおける隣り合う３ラインの映像信号ＣＶＨｃ０，ＣＶＨｃ１及びＣＶＨｃ２を受けて、２次元Ｙ／Ｃ分離を行い、現在のフレームにおけるこの３ライン分の映像信号におけるＹ信号Ｙｃｕｒ  、色信号Ｃｃｕｒ  を出力する。
コムフィルタ２０は、一つ前のフレームにおける隣り合う３ラインの映像信号ＣＶＨｐ０，ＣＶＨｐ１及びＣＶＨｐ２を受けて、２次元Ｙ／Ｃ分離を行い、前のフレームにおけるこの３ライン分の映像信号におけるＹ信号Ｙｐｓｔ  、色信号Ｃｐｓｔ  を出力する。
【００２８】
隣り合う３ラインの映像信号ＣＶＨｃ０，ＣＶＨｃ１及びＣＶＨｃ２は、例えば、図示しないラインメモリによって出力される。ラインメモリは、コンポジット映像信号の１水平同期に対応する映像データを記憶する。ラインメモリ２段を直列接続することにより、隣り合う３ライン分の映像信号が得られる。
さらに、前のフレームの隣り合う３ライン分の映像信号は、図示しないフレームメモリによって出力される。フレームメモリは、コンポジット映像信号の１フレーム分の映像データを記憶する。
【００２９】
なお、上述したラインメモリ及びフレームメモリは、ＮＴＳＣ方式のコンポジット映像信号に適用されるものであるが、例えば、ＰＡＬ方式のコンポジット映像信号の場合、ラインメモリは、２ライン分の映像データを記憶し、フレームメモリは、２フレーム分の映像データを記憶する。
これは、ＮＴＳＣ方式のコンポジット映像信号の場合、隣接するラインまたは隣接するフレームの映像信号間の色副搬送波（サブキャリア）の位相が１８０°ずれており、ＰＡＬ方式の映像信号の場合、２ラインまたは２フレーム離れた映像信号間のサブキャリアの位相が１８０°ずれるためである。
なお、コンポジット映像信号を量子化する場合のサンプリングレートは、通常サブキャリア周波数ｆｓｃの４倍、即ち、４ｆｓｃである。
【００３０】
Ｙ動き検出回路３０は、図１に示すように、加算回路３０１、Ｃレベル判定回路３０２、ローパスフィルタ３０３、スイッチ（選択回路）３０４、垂直エッジ判定回路３０５及びＹ動き係数生成回路３０６によって構成されている。
Ｙ動き検出回路３０において、加算回路３０１は、現在のフレームと前のフレームの３ラインコムフィルタ１０及び２０により生成したＹ信号Ｙｃｕｒ  及びＹｐｓｔ  の差分を演算し、当該差分の量をローパスフィルタ３０３及び選択回路３０４にそれぞれ出力する。
【００３１】
Ｃレベル判定回路３０２は、３ラインコムフィルタにより生成されＣ信号の高域成分のレベルを判定し、当該判定の結果に応じて選択回路３０４を制御する。
選択回路３０４は、Ｃ成分の高域成分のレベルが大きい場合、Ｙ信号の差分量をローパスフィルタ３０３を通してＹ動き係数生成回路３０６に出力し、一方、Ｃ成分のレベルが小さい場合、Ｙ信号の差分量がそのままＹ動き係数生成回路３０６に出力する。
これは、色のついた横線はや斜め線など、垂直方向のサブキャリア（色副搬送波）の相関が非相関となる絵柄では、色信号の位相関係により、３ラインコムフィルタの出力のＹ信号にサブキャリア成分が残り、静止画においてもＹ信号の差分が生じ、そのまま差分を動き量とすると、静止画の部分を動画部分と誤判断するからである。サブキャリアの影響を抑制するために、Ｙ動き検出回路３０では、ローパスフィルタ３０３により、Ｙ信号の差分の帯域を制限する。
【００３２】
垂直エッジ判定回路３０６は、映像信号の垂直方向にエッジがあるか否かを判定し、当該判定結果に応じてＹ動き係数生成回路３０６の動作を制御する。
Ｙ動き係数生成回路３０６では、垂直エッジ判定回路３０５の判定結果を受けて、絶対値演算、コアリング処理、さらに孤立点除去及びゲイン調整を行い、Ｙ動き係数ＭＶＣｙ  を出力する。
【００３３】
Ｙ動き係数生成回路３０６において、選択回路３０４から入力された動き量の絶対値を計算し、当該動き量の絶対値と適当な大きさの基準値とを比較し、動き量の絶対値が基準値よりも小さいとき、動き量を０にすげ替えるコアリング処理が行われる。コアリング処理により、振幅の小さいノイズ成分が除去される。さらに、孤立点除去処理により、フレーム間の連続性を検出し、静止画に対して誤判定を防止する。
さらに、Ｙ動き係数生成回路３０６において、ゲイン調整回路を用いて、フレーム間の差分の絶対値に対して適切な係数を乗算することで動き検出感度を調整して、所望の大きさのＹ動き係数ＭＶＣｙ  を生成して出力する。
【００３４】
次に、Ｃ動き検出回路４０Ａについて説明する。
図１に示すように、Ｃ動き検出回路４０Ａは、仮３次元（仮３Ｄ）Ｙ／Ｃ分離動き検出回路４０１、絶対値回路４０２，４０３、減算回路４０４、選択回路４０５及びＣ動き係数生成回路４０６を有している。
【００３５】
仮３ＤＹ／Ｃ分離動き検出回路４０１は、３次元Ｙ／Ｃ分離を行い、動き検出を行う。なお、仮３ＤＹ／Ｃ分離動き検出回路の４０１の詳細について、後に説明する。
【００３６】
絶対値回路４０２と４０３は、それぞれのコムフィルタ１０及び２０から出力される現在のフレームの色信号Ｃｃｕｒ  及び前のフレームの色信号Ｃｐｓｔ  の絶対値を求め、減算回路４０４に出力する。
減算回路４０４は、絶対値回路４０２から出力された現在のフレームの色信号Ｃｃｕｒ  の絶対値と絶対値回路４０３から出力される前のフレームの色信号Ｃｐｓｔとの差を計算し、選択回路４０５に出力する。
【００３７】
選択回路４０５は、仮３ＤＹ／Ｃ分離動き検出回路４０１の検出結果に応じて、減算回路４０４の出力または所定の値、例えば、０の何れかを選択し、動き量としてＣ動き係数生成回路４０６に出力する。具体的に、選択回路４０５は、仮３ＤＹ／Ｃ分離動き検出回路４０１の検出の結果、動きを示す場合、減算回路４０４の出力、即ち、現在のフレームと前のフレームのＣ信号の差を選択してＣ動き係数生成回路４０６に出力する。一方、仮３ＤＹ／Ｃ分離動き検出回路４０１の検出の結果、動きがないことを示す場合、選択回路４０５は、所定の値、例えば０を選択して動き係数生成回路４０６に出力する。
【００３８】
動き係数生成回路４０６は、選択回路４０５から入力される動き量に応じて動き係数ＭＶＣｃ  を生成する。なお、動き係数生成回路４０６において、絶対値、コアリング及びゲイン調整の処理が行われる。絶対値処理は、選択回路４０５から入力される動き量の絶対値が計算される。そして、コアリング処理では、動き量の絶対値と所定の基準値との比較が行われ、動き量の絶対値が基準値よりも小さいとき、動き量を０にすげ替えられる。コアリング処理により、振幅の小さいノイズ成分が除去される。
さらに、ゲイン調整処理において、選択回路４０５から入力される動き量の絶対値、即ちフレーム間Ｃ信号の差分の絶対値に対して適切な係数を乗算することで動き検出感度を調整して、所望の大きさのＣ動き係数ＭＶＣｃ  を生成して出力する。
【００３９】
最大値回路５０は、Ｙ動き検出回路３０によって出力されたＹ動き係数ＭＶＣｙ  とＣ動き検出回路４０Ａによって出力されるＣ動き係数ＭＶＣｃ  のうちもっとも大きい値を選択して出力する。
伸長回路６０は、最大値回路６０によって出力された最大値に対して、伸長処理を行い、不連続性をもつノイズを除去し、動き係数ＭＶＣを出力する。
【００４０】
次に、Ｃ動き検出回路４０Ａにある仮３ＤＹ／Ｃ分離動き検出回路４０１の構成及び動作について説明する。
【００４１】
図２は、仮３ＤＹ／Ｃ分離動き検出回路の構成を示すブロック図である。
図２に示すように、仮３ＤＹ／Ｃ分離動き検出回路４０１は、Ｙ動き検出部４２０、Ｃ動き検出部４４０及び論理和演算回路４５０を有している。
【００４２】
Ｙ動き検出部４２０は、コンポジット映像信号に含まれている輝度信号（Ｙ信号）に基づき動き検出を行い、Ｙ動き検出信号ＭＶＤｙ  を出力する。Ｃ動き検出部４４０は、コンポジット映像信号に含まれている色信号（Ｃ信号）に基づき動き検出を行い、Ｃ動き検出信号ＭＶＤｃ  を出力する。そして、これらの動き検出信号に基づき、動き検出信号ＭＶＤが出力される。即ち、Ｙ動き検出部４２０またはＣ動き検出部４４０の何れかによって動きが検出されたとき、動きがありとの判定結果が出力される。
【００４３】
図３は、Ｙ動き検出部４２０の構成を示す回路図であり、図４は、Ｃ動き検出部４４０の構成を示す回路図である。
以下、図３及び図４を参照しつつ、Ｙ動き検出部４２０及びＣ動き検出部４４０について説明する。
【００４４】
まず、図３を参照しながら、Ｙ動き検出部４２０の構成を説明する。
Ｙ動き検出部４２０は、現在のフレームと前のフレームのコンポジット映像信号のＹ信号に基づき、動きを判定する。上述したように、ＮＴＳＣ方式のコンポジット映像信号において、隣り合うフレーム間のコンポジット映像信号の色信号の位相が１８０°ずれているので、Ｙ動き検出部４２０は、この特性を利用してＹ動き検出を行う。なお、ＰＡＬ方式のコンポジット映像信号の場合、１ラインおき、また、１フレームおきコンポジット映像信号の色信号の位相が１８０°ずれるので、ＣＶＨｐ１は、現在のフレームより２フレーム前のコンポジット映像信号となる。
【００４５】
Ｙ動き検出部４２０は、図３に示すように、バンドパスフィルタ（ＢＰＦ）４２１，４２２、減算回路４２３，４２５，４２７、加算回路４２６、増幅回路４２４、絶対値回路４２８、ローパスフィルタ４２９、しきい値（閾値）生成回路４３０及び比較回路４２１を有している。
【００４６】
バンドパスフィルタ４２１と４２２の中心周波数は、サブキャリア、即ち、色副搬送波の周波数ｆｓｃである。
バンドパスフィルタ４２１は、現在のフレームのコンポジット映像信号ＣＶＨｃ１に含まれている色信号成分のみを通して、バンドパスフィルタ４２２は、前のフレームのコンポジット映像信号ＣＶＨｐ１に含まれている色信号成分のみを通す。
【００４７】
減算回路４２３は、バンドパスフィルタ４２１と４２２の出力の差分を求める。静止画の場合、現在のフレームのコンポジット映像信号ＣＶＨｃ１と前のフレームのコンポジット映像信号ＣＶＨｐ１の輝度信号成分が等しく、色信号成分の位相が１８０°ずれているので、減算回路４２３の減算処理によって、Ｙ信号成分が打ち消され、Ｃ信号成分の振幅が２倍になって出力される。
【００４８】
増幅回路４２４は、減算回路４２３の出力信号、即ち、振幅が２倍になったＣ成分の振幅を調整し、例えば、その振幅を１／２にすることで、もとのコンポジット映像信号に含まれているＣ成分とほぼ同じレベルの信号Ｃｄ  を出力する。
【００４９】
減算回路４２５は、現在のフレームのコンポジット映像信号と増幅回路４２４によって振幅が調整されたＣ成分との差を出力する。
加算回路４２６は、前のフレームのコンポジット映像信号と増幅回路４２４によって振幅が調整されたＣ成分との和を出力する。
【００５０】
このため、減算回路４２５によって現在のフレームのコンポジット映像信号ＣＶＨｃ１とＣ成分信号Ｃｄ  との差を計算した結果、現在のフレームのコンポジット映像信号に含まれているＹ信号Ｙｃｕｒ  が出力される。一方、加算回路４２６によって、前のフレームのコンポジット映像信号ＣＶＨｐ１とＣ成分信号Ｃｄ  との和を計算した結果、前のフレームのコンポジット映像信号に含まれているＹ信号Ｙｐｓｔ  が出力される。
【００５１】
減算回路４２７は、減算回路４２５と加算回路４２６の演算結果の差を求める。即ち、減算回路４２７により、現在のフレームのＹ信号Ｙｃｕｒ  と前のフレームのＹ信号Ｙｐｓｔ  の差分信号ΔＹ（以下、輝度差分信号ΔＹと表記する）が計算される。
【００５２】
絶対値回路４２８は、輝度差分信号ΔＹの絶対値を計算する。
ローパスフィルタ４２９は、絶対値回路４２８によって計算され輝度差分信号ΔＹの絶対値の高域成分を平滑化する。
【００５３】
そして、比較回路４３１は、ローパスフィルタ４２９の出力信号としきい値発生回路４３０から出力された所定のしきい値とを比較し、当該比較の結果が動き判定に用いられる。即ち、比較回路４３１において、ローパスフィルタ４２９から出力される輝度差分信号ΔＹのレベルがしきい値より大きい場合、現在のフレームのコンポジット映像信号におけるＹ信号と前のフレームのコンポジット映像信号におけるＹ信号の差分が所定の基準値よりも大きいことが分かる。このため、動きがあると判定できる。一方、輝度差分信号ΔＹのレベルがしきい値よりも小さい場合、現在のフレームのコンポジット映像信号におけるＹ信号と前のフレームのコンポジット映像信号におけるＹ信号の差分が所定の基準値よりも小さいことが分かる。このため、動きがない、即ち静止画と判定できる。
【００５４】
上述したように、図３に示すＹ動き検出部４２０によって、現在のフレームのコンポジット映像信号と前のフレームのコンポジット映像信号の輝度信号の差分である輝度差分信号ΔＹを求めて、当該輝度差分信号ΔＹの振幅が所定の基準値よりも大きい場合、動きがあると判定され、逆に当該輝度差分信号ΔＹの振幅が所定の基準値以下の場合、動きのない静止画と判定される。
【００５５】
Ｙ動き検出部４２０で行われた上述した演算処理は、コンポジット映像信号に含まれているＹ信号の全帯域において差分の計算が行われるので、Ｙ信号の高域成分を検出できるとともに、同一フレームにおける上下のラインを用いることなく、上下ラインの相関による影響はない。このため、従来の動き検出において動きと判定されやすいサブキャリアｆＳＣ近辺の周波数成分を主とする斜め線において、上述したＹ動き検出部４２０の演算結果に基づいて静止と判定され、動き検出における誤判定を防止できる。
【００５６】
次に、図４を参照しつつ、Ｃ動き検出部４４０について説明する。
図４に示すように、Ｃ動き検出部４４０は、フレームコムフィルタ４４１，４４２，４４３及びクロマ相関検出回路４４４を有している。以下、これらの各構成部分について説明する。
【００５７】
フレームコムフィルタ４４１，４４２及び４４３は、それぞれの現在のフレームのコンポジット映像信号ＣＶＨｃ０，ＣＶＨｃ１，ＣＶＨｃ２及び１フレーム前のコンポジット映像信号ＣＶＨｐ０，ＣＶＨｐ１，ＣＶＨｐ２に応じて、現在のフレームのコンポジット映像信号に含まれているＹ信号Ｙ＿３ＤＨ０，Ｙ＿３ＤＨ１及びＹ＿３ＤＨ２を求める。
【００５８】
例えば、フレームコムフィルタ４４１は、現在のフレームのコンポジット映像信号ＣＶＨｃ０及び前のフレームのコンポジット映像信号ＣＶＨｐ０に応じて、まず、これらのコンポジット映像信号をバンドパスフィルタを通した信号の差分の求めることで、Ｃ成分の信号を出力する。そして、現在のフレームのコンポジット映像信号ＣＶＨｃ０から、Ｃ成分の信号を減算することで、現在のフレームのＹ信号Ｙ＿３ＤＨ０が得られる。
【００５９】
同様に、フレームコムフィルタ４４２及び４４３によって、それぞれ現在のフレームのＹ信号Ｙ＿３ＤＨ１及びＹ＿３ＤＨ２が得られる。
フレームコムフィルタ４４１，４４２及び４４３によって求まった現在のフレームのＹ信号Ｙ＿３ＤＨ０，Ｙ＿３ＤＨ１及びＹ＿３ＤＨ２は、クロマ相関検出回路４４４に供給される。
【００６０】
クロマ相関検出回路４４４は、フレームコムフィルタ４４１，４４２及び４４３によって求まった現在のフレームのＹ信号Ｙ＿３ＤＨ０，Ｙ＿３ＤＨ１及びＹ＿３ＤＨ２に応じて、Ｃ動き検出を行う。
【００６１】
クロマ相関検出回路４４４は、クロマ水平相関検出部４４４−１とクロマ垂直相関検出部４４４−２を有している。
図５は、クロマ相関検出回路４４４の構成を示すブロック図である。図示のように、クロマ相関検出回路４４４は、クロマ水平相関検出部４４４−１、クロマ垂直相関検出部４４４−２及び論理積（ＡＮＤ）演算回路を有している。
【００６２】
クロマ相関検出回路４４４において、クロマ水平相関検出部４４４−１により、クロマ水平相関検出信号ＣＲＨが出力され、また、クロマ垂直相関検出部４４４−２により、クロマ垂直相関検出信号ＣＲＶが出力される。そして、これらの相関検出信号の論理積に応じて、クロマ相関検出信号（Ｃ相関検出信号）ＭＶＤｃ  が出力される。即ち、クロマ水平相関検出部４４４−１またはクロマ垂直相関検出部４４４−２の両方においてクロマ相関が検出されたとき、クロマ相関がありとの判定結果が出力される。
【００６３】
以下、クロマ水平相関検出部４４４−１とクロマ垂直相関検出部４４４−２それぞれの構成及び動作について説明する。
まず、図６を参照しつつ、クロマ水平相関検出部４４４−１について説明する。
【００６４】
図６は、クロマ水平相関検出部４４４−１の構成を示す構成図である。
図示のように、クロマ水平相関検出部４４４−１は、遅延回路４６１、減算回路４６２、しきい値（閾値）発生回路４６３、絶対値回路４６４、比較回路４６５、孤立点除去回路４６６、伸長回路４６７、バンドパスフィルタ４６８、振幅判定回路４６９、孤立点除去回路４７０、伸長回路４７１及びＡＮＤゲート４７２を有している。
【００６５】
以下、クロマ水平相関検出部４４４−１の各構成部分について説明する。
遅延回路４６１は、Ｙ信号Ｙ＿３ＤＨ１をサブキャリアｆＣＳの１周期分の遅延時間で遅延し、遅延信号を減算回路４６２に出力する。
減算回路４６２は、Ｙ信号Ｙ＿３ＤＨ１と遅延回路４６１によって遅延した信号との差を求め、絶対値回路４６４に出力する。、
【００６６】
絶対値回路４６４は、減算回路４６２の出力信号の絶対値を求めて、比較回路４６５に出力する。
比較回路４６５は、絶対値回路４６４によって算出したＹ信号とその遅延信号との差の絶対値と、しきい値発生回路４６３によって出力されたしきい値とを比較し、当該比較結果を孤立点除去回路４６６に出力する。
【００６７】
孤立点除去回路４６６は、比較回路４６５の出力信号から孤立の信号を除去して、連続信号のみを出力する。
伸長回路４６７は、孤立点除去回路４６６の出力信号を伸長して、その結果をＡＮＤゲート４７２に出力する。
【００６８】
バンドパスフィルタ４６８は、中心周波数がサブキャリアの周波数ｆＳＣに設定されている。即ち、バンドパスフィルタ４６８は、Ｙ信号Ｙ＿３ＤＨ１に含まれている色信号成分のみを通して出力する。
振幅判定回路４６９は、バンドパスフィルタ４６８から出力された色信号成分の振幅を判定し、当該色信号成分の振幅が所定の基準値を超えた区間に所定のレベルをもつ振幅判定信号を出力する。
【００６９】
孤立点除去回路４７０は、振幅判定回路４６９から出力される振幅判定信号における孤立の信号を除去し、その結果を伸長回路４７１に出力する。
伸長回路４７１は、孤立点除去回路４７０の出力信号を伸長し、その結果をＡＮＤゲート４７２に出力する。
【００７０】
ＡＮＤゲート４７２は、伸長回路４６７と４７１の出力信号の何れかが相関ありと示した場合、クロマ水平相関ありを示す判定信号を出力する。一方、伸長回路４６７と４７１の出力信号が両方とも相関なしを示した場合、クロマ水平相関なしを示す判定信号を出力する。
【００７１】
以下、クロマ水平相関検出部４４４−１の動作について説明する。
クロマの水平相関の検出は、図４に示すフレームコムフィルタ４４１，４４２及び４４３によって求められたＹ信号Ｙ＿３ＤＨ０，Ｙ＿３ＤＨ１及びＹ＿３ＤＨ２にクロマ成分（色信号成分）が残留している場合、当該残留クロマ成分の相関関係を利用して行われる。
【００７２】
コンポジット映像信号は、サブキャリアの４倍の周波数４ｆＳＣのサンプリングレートで量子化された信号が用いられている。このため、水平方向に同じ色の場合、色副搬送波は図７に示すようになる。
図７に示すように、この場合水平方向にサブキャリア１周期だけ離れたところ、即ち、４つ離れたサンプル点においてほぼ同じ値のサンプルデータがある。
【００７３】
クロマ水平相関検出部４４４−１は、この性質を利用して、サブキャリア１周期分に対応する遅延量をもつ遅延回路４６１を設けて、遅延回路による遅延信号ともとのＹ信号Ｙ＿３ＤＨ１との差分が減算回路４６２によって計算される。そして、当該減算した信号の振幅の絶対値が所定のしきい値と比較し、減算した信号の振幅の絶対値がしきい値よりも大きい場合、クロマの水平相関がなく、逆に減算した信号の振幅の絶対値がしきい値以下の場合、クロマの水平相関があると判定される。
【００７４】
孤立点除去回路４６６は、比較回路４６５の出力に対して、孤立した信号を除去することにより、ノイズの影響を抑制する。
伸長回路４６７は、孤立点除去処理によって圧縮された信号をもとの信号に伸長する。
【００７５】
図８には、孤立点除去回路４６６及び伸長回路４６７の一構成例を示している。図８（ａ）は、孤立点除去回路４６６及び伸長回路４６７の構成を示す回路図であり、図８（ｂ）〜（ｄ）は、その動作を示す波形図がある。
【００７６】
図８（ａ）に示すように、孤立点除去回路４６６は、直列接続されている３段の遅延回路とＡＮＤゲートによって構成され、伸長回路は、直列接続されている３段の遅延回路とＯＲゲートによって構成されている。
【００７７】
孤立点除去回路４６６及び伸長回路４６７を構成する遅延回路の遅延時間は、サブキャリアの周期の１／４である。即ち、サブキャリアｆＳＣの４倍周波数のクロック信号ＣＫの１周期である。
【００７８】
図８（ｂ）には、周波数４ｆＳＣのクロック信号ＣＫの波形を示している。図８（ｃ）は、孤立点除去回路４６６の動作を示す波形図であり、同図（ｄ）は、伸長回路４６７の動作を示す波形図である。
【００７９】
図８（ｃ）に示すように、入力信号がクロック信号ＣＫの４周期連続にアクティブ状態、例えば、ハイレベルに保持されているとき、孤立点除去回路４６６のＡＮＤゲートからハイレベルの信号が出力される。入力信号のハイレベル区間がクロック信号ＣＫの４周期以下の場合、ＡＮＤゲートの出力がローレベルに保持されている。これによって、例えばノイズによって発生した孤立の信号が無視される。
【００８０】
伸長回路４６７は、孤立点除去回路４６６の出力信号と直列接続されている３段の遅延回路の出力信号の論理和を出力する。図８（ｄ）に示すように、孤立点除去回路４６６においてクロック信号ＣＫの４周期以上に続いた信号がＡＮＤゲートより出力されるので、当該出力信号に応じて、伸長回路４６７のＯＲゲートからクロック信号ＣＫの４周期連続してハイレベルに保持される伸長信号が出力される。
【００８１】
上述したように、孤立点除去回路４６６及び伸長回路４６７によって、判定結果に含まれている連続期間の短い波形が除去される。
なお、図６に示すクロマ水平相関検出部４４４−１において、振幅判定回路４６９の判定結果に対して、孤立点除去及び伸長を行う孤立点除去回路４７０、伸長回路４７１は、上述した孤立点除去回路４６６及び伸長回路４６７と同じ構成を有する。
【００８２】
上述したように、クロマ水平相関検出部４４４−１において、フレームコムフィルタによって出力される輝度信号Ｙ＿３ＤＨ１に色信号成分が残っているか否かを判定し、当該判定結果に応じて、クロマ水平相関検出信号ＣＲＨが出力される。
【００８３】
次に、図９を参照しつつ、クロマ垂直相関検出部４４４−２を説明する。
図９は、クロマ相関検出回路４４４の一構成部分であるクロマ垂直相関検出部４４４−２の構成を示す回路図である。クロマ垂直相関検出部４４４−２は、フレームコムフィルタ４４１，４４２及び４４３によって生成したＹ信号Ｙ＿３ＤＨ０，Ｙ＿３ＤＨ１及びＹ＿３ＤＨ２に応じて、垂直方向におけるクロマ相関を検出する。
【００８４】
図９に示すように、クロマ垂直相関検出部４４４−２は、減算回路４８１、しきい値（閾値）発生回路４８２、絶対値回路４８３、比較回路４８４、孤立点除去回路４８５、伸長回路４８６、バンドパスフィルタ４８７，４８８，４８９、加算回路４９０，４９１、しきい値（閾値）発生回路４９２、絶対値回路４９３、比較回路４９４、孤立点除去回路４９５、伸長回路４９６、しきい値（閾値）発生回路４９７、絶対値回路４９８、比較回路４９９、孤立点除去回路５００、伸長回路５０１及びＡＮＤゲート５０２を有している。
【００８５】
減算回路４８１は、フレームコムフィルタ４４１，４４２及び４４３によって生成したＹ信号Ｙ＿３ＤＨ０とＹ＿３ＤＨ２を減算し、減算結果を絶対値回路４８３に出力する。
絶対値回路４８３は、減算回路４８１の減算結果の絶対値を求めて、比較回路４８４に出力する。
【００８６】
比較回路４８４は、絶対値回路４８３から入力されるＹ信号Ｙ＿３ＤＨ０とＹ＿３ＤＨ２の差の絶対値としきい値発生回路４８２によって出力される所定のしきい値とを比較し、当該比較の結果に応じた判定信号を孤立点除去回路４８５に出力する。
【００８７】
孤立点除去回路４８５は、比較回路４８４から出力される判定結果に含まれている不連続の孤立信号を除去する。
伸長回路４８６は、孤立点除去回路４８５の出力信号を伸長し、その結果をＡＮＤゲート５０２に出力する。
【００８８】
バンドパスフィルタ４８７，４８８及び４８９は、サブキャリアの周波数ｆＳＣを中心周波数とする。
バンドパスフィルタ４８７は、Ｙ信号Ｙ＿３ＤＨ２に含まれている色信号成分を通して、加算回路４９１に出力する。
バンドパスフィルタ４８８は、Ｙ信号Ｙ＿３ＤＨ０に含まれている色信号成分を通して、加算回路４９０に出力する。
バンドパスフィルタ４８９は、Ｙ信号Ｙ＿３ＤＨ１に含まれている色信号成分を通して、加算回路４９０，４９１に出力する。
【００８９】
加算回路４９０は、バンドパスフィルタ４８８と４８９の出力信号を加算し、加算結果を絶対値回路４９３に出力する。即ち、加算回路４９０の出力信号には、Ｙ信号Ｙ＿３ＤＨ０とＹ＿３ＤＨ１に含まれている色信号成分の和が含まれている。
加算回路４９１は、バンドパスフィルタ４８７と４８９の出力信号を加算し、加算結果を絶対値回路４９８に出力する。即ち、加算回路４９１の出力信号には、Ｙ信号Ｙ＿３ＤＨ２とＹ＿３ＤＨ１に含まれている色信号成分の和が含まれている。
【００９０】
絶対値回路４９３は、加算回路４９０の出力信号の絶対値を求めて、比較回路４９４に出力する。
比較回路４９４は、絶対回路４９３から出力されたＹ信号Ｙ＿３ＤＨ０とＹ＿３ＤＨ１に含まれている色信号成分の和の絶対値としきい値発生回路４９２から出力されるしきい値とを比較し、当該比較結果に応じて比較信号を出力する。
【００９１】
孤立点除去回路４９５は、比較回路４９４から出力される判定結果に含まれている不連続の孤立信号を除去する。
伸長回路４９６は、孤立点除去回路４９５の出力信号を伸長し、その結果をＡＮＤゲート５０２に出力する。
【００９２】
絶対値回路４９８は、加算回路４９１の出力信号の絶対値を求めて、比較回路４９９に出力する。
比較回路４９９は、絶対回路４９８から出力されたＹ信号Ｙ＿３ＤＨ２とＹ＿３ＤＨ１に含まれている色信号成分の和の絶対値としきい値発生回路４９７から出力されるしきい値とを比較し、当該比較結果に応じて比較信号を出力する。
【００９３】
孤立点除去回路５００は、比較回路４９９から出力される判定結果に含まれている不連続の孤立信号を除去する。
伸長回路５０１は、孤立点除去回路５００の出力信号を伸長し、その結果をＡＮＤゲート５０２に出力する。
【００９４】
ＡＮＤゲート５０２は、伸長回路４８６，４９６及び５０１から出力される判定結果信号の論理積を求めて、その結果をクロマ垂直相関判定結果として出力する。
【００９５】
次に、上述した構成を有するクロマ垂直相関検出部４４４−２の動作を説明する。
クロマ垂直相関検出部４４４−２に入力されるＹ信号Ｙ＿３ＤＨ０，Ｙ＿３ＤＨ１及びＹ＿３ＤＨ２は、図４に示すＣ動き検出部４４０におけるフレームコムフィルタ４４１，４４２及び４４３によって生成される。
【００９６】
画像に動きがある場合、フレームコムフィルタ４４１，４４２及び４４３によって生成されるＹ信号Ｙ＿３ＤＨ０，Ｙ＿３ＤＨ１及びＹ＿３ＤＨ２に色信号成分が漏れ込むことがある。クロマ垂直相関検出部４４４−２は、これらのＹ信号に漏れ込んでいる色信号成分を検出し、当該検出の結果に応じて動きの判定を行う。
【００９７】
具体的に、Ｙ信号Ｙ＿３ＤＨ０，Ｙ＿３ＤＨ１及びＹ＿３ＤＨ２は、隣り合う３ラインのコンポジット映像信号から得られたＹ信号とすると、これらのＹ信号に色信号成分が含まれている場合、Ｙ信号Ｙ＿３ＤＨ０とＹ＿３ＤＨ２の色信号成分の位相が一致し、Ｙ信号Ｙ＿３ＤＨ０とＹ＿３ＤＨ１、及びＹ信号Ｙ＿３ＤＨ１とＹ＿３ＤＨ２の色信号成分の位相が互いに１８０°ずれている。なお、ＰＡＬ方式のコンポジット映像信号の場合、１ラインおきの信号に同様な関係が成り立つ。即ち、ＰＡＬ方式のコンポジット映像信号を処理する場合、Ｙ信号Ｙ＿３ＤＨ０，Ｙ＿３ＤＨ１及びＹ＿３ＤＨ２は、それぞれ１ラインおきの映像信号から得られた輝度信号として利用される。
【００９８】
Ｙ信号に混入される色信号成分のこの性質を利用して、クロマ垂直相関検出部４４４−２では、また、色信号成分が同相であるＹ信号Ｙ＿３ＤＨ０とＹ＿３ＤＨ２の差分を演算し、当該差分の絶対値と所定のしきい値とを比較した結果に応じて、動きの判定が行われる。動きがある場合、Ｙ信号Ｙ＿３ＤＨ０とＹ＿３ＤＨ２に漏れ込んだ色信号成分の位相と振幅に差が生じるため、これらのＹ信号の差分の絶対値が、動きの量に応じてある基準値以上になることが予想できる。このため、Ｙ信号Ｙ＿３ＤＨ０とＹ＿３ＤＨ２の差分の絶対値と所定のしきい値とを比較した結果、差分の絶対値がしきい値より大きい場合、動きありと判断し、アクティブ状態、例えば、ハイレベルの動き検出信号（第１の動き検出信号）を出力する。当該動き検出信号が孤立点除去処理及び伸長処理により、ノイズが除去された結果がＡＮＤゲート５０２に出力される。
【００９９】
次に、色信号成分が逆相の場合、即ち、サブキャリアの位相が１８０°ずれているＹ信号Ｙ＿３ＤＨ０とＹ＿３ＤＨ１、及びＹ信号Ｙ＿３ＤＨ１とＹ＿３ＤＨ２に対して、クロマ垂直相関検出部４４４−２では、これらのＹ信号がサブキャリアの周波数ｆＳＣを中心周波数とするバンドパスフィルタを通し、色信号成分を抽出する。そして、それぞれのＹ信号から抽出した色信号成分に基づき、相関を検出する。
【０１００】
具体的に、バンドパスフィルタによって抽出したＹ信号Ｙ＿３ＤＨ０とＹ＿３ＤＨ１の色信号成分の和信号が算出され、当該和信号の絶対値と所定のしきい値との比較結果に応じて、第２の垂直動き検出信号が出力される。
また、バンドパスフィルタによって抽出したＹ信号Ｙ＿３ＤＨ１とＹ＿３ＤＨ２の色信号成分の和信号が算出され、当該和信号の絶対値と所定のしきい値との比較結果に応じて、第３の垂直動き検出信号が出力される。
そして、上述した第１、第２及び第３の垂直動き検出信号が孤立点除去処理及び伸長処理によってノイズが除去され、その結果がＡＮＤゲート５０２に出力される。
【０１０１】
ＡＮＤゲート５０２によって、上述した処理によって得られた３つの動き検出信号の論理積に応じて、クロマ垂直相関検出信号ＣＲＶが出力される。即ち、これらのすべての処理によって動きが検出された場合のみ、クロマ垂直相関があることを示すクロマ垂直相関検出信号ＣＲＶが出力される。
【０１０２】
図４に示すＣ動き検出回路４４０は、上述したように、フレームコムフィルタ４４１、４４２及び４４３によって、現在のフレームと前のフレームそれぞれの３ラインのコンポジット映像信号から、隣り合う３ラインにおけるＹ信号Ｙ＿３ＤＨ０，Ｙ＿３ＤＨ１及びＹ＿３ＤＨ２が算出され、クロマ相関検出回路４４４に出力される。
【０１０３】
クロマ相関検出回路４４４には、図６に示すクロマ水平相関検出回路４４４−１と図９に示すクロマ垂直相関検出回路４４４−２が設けられ、これらの相関検出回路によって、画像の水平方向及び垂直方向それぞれにおいて、Ｙ信号に含まれる色信号成分の相関が検出され、当該検出の結果に応じて動きがあるか否かの判定が行われる。
【０１０４】
次に、図１を参照しつつ、本実施形態の映像信号処理装置の全体の動作について説明する。
本実施形態の映像信号処理装置には、現在のフレームの隣り合う３ライン分のコンポジット映像信号ＣＶＨｃ０，ＣＶＨｃ１及びＣＶＨｃ２、及び１フレーム前の隣り合う３ライン分のコンポジット映像信号ＣＶＨｐ０，ＣＶＨｐ１及びＣＶＨｐ２が入力される。
【０１０５】
コムフィルタ１０において、現在のフレームの隣り合う３ライン分のコンポジット映像信号ＣＶＨｃ０，ＣＶＨｃ１及びＣＶＨｃ２に応じて、Ｙ／Ｃ分離が行われ、現在のフレームにおけるこの３ライン分のコンポジット映像信号に対応するＹ信号Ｙｃｕｒ  及び色信号Ｃｃｕｒ  が求められる。
また、コムフィルタ２０において、前のフレームにおける隣り合う３ライン分のコンポジット映像信号ＣＶＨｐ０，ＣＶＨｐ１及びＣＶＨｐ２に応じて、Ｙ／Ｃ分離が行われ、前のフレームにおけるこの３ライン分のコンポジット映像信号に対応するＹ信号Ｙｐｓｔ  及び色信号Ｃｐｓｔ  が求められる。
【０１０６】
Ｙ動き検出回路３０において、現在のフレームのコンポジット映像信号から分離したＹ信号Ｙｃｕｒ  及び前のフレームのコンポジット映像信号から分離したＹ信号Ｙｐｓｔ  に応じて、これらのＹ信号の差分を求めて、当該Ｙ信号の差分に応じてＹ動き係数ＭＶＣｙ  が生成される。
【０１０７】
Ｃ動き検出回路４０Ａにおいて、現在のフレームのコンポジット映像信号から分離したＣ信号Ｃｃｕｒ  及び前のフレームのコンポジット映像信号から分離したＣ信号Ｃｐｓｔ  に応じて、これらのＣ信号の差分が算出される。
仮３ＤＹ／Ｃ分離動き検出回路４０１において、現在のフレームのコンポジット映像信号及び前のフレームのコンポジット映像信号に基づき、フレームコムフィルタを用いて現在のフレームにおける隣り合う３ラインの映像信号に対応するＹ信号及び前のフレームにおける隣り合う３ラインの映像信号に対応するＹ信号が算出される。
【０１０８】
Ｙ動き検出回路において、現在のフレームのＹ信号及び前のフレームのＹ信号の差分が演算し、当該差分値に応じて動きが判断される。
Ｃ動き検出回路において、フレームコムフィルタによって求められた現在のフレームにおける隣り合う３ラインの映像信号に対応するＹ信号に基づき、クロマ水平相関検出及びクロマ垂直相関検出がそれぞれ行われる。そして、水平、垂直両方においてクロマの相関が検出された場合、画像の動きによりＹ信号にクロマ成分が漏れ込んだと判断し、動き検出を示す動き検出信号が出力される。
【０１０９】
Ｙ動き検出回路またはＣ動き検出回路の何れかによって動きが検出された場合、動きがありと判定される。そして、この判定結果に応じてＣ動き検出回路４０Ａにおいて、Ｃ動き係数が生成される。例えば、仮３ＤＹ／Ｃ分離動き検出回路４０１によって、画像に動きが検出されたとき、現在のフレームのコンポジット映像信号から分離したＣ信号Ｃｃｕｒ  と前のフレームのコンポジット映像信号から分離したＣ信号Ｃｐｓｔ  との差分が選択され、当該差分に応じてＣ動き係数ＭＶＣｃ  が生成される。一方、画像に動きが検出されていないとき、所定の値、例えば０を動き係数として出力される。
【０１１０】
本実施形態の映像信号処理装置において、Ｙ動き検出回路３０及びＣ動き検出回路４０Ａによってそれぞれ出力されるＹ動き係数ＭＶＣｙ  及びＣ動き係数ＭＶＣｃ  のうち、最も大きい値を動き係数ＭＶＣて出力される。そして、当該動き係数に基づき、画像に動きがあるか否かが判断され、当該判断結果に応じてＹ／Ｃ分離を適宜行うことができる。
【０１１１】
以上説明したように、本実施形態によれば、Ｃ動き検出回路に仮３ＤＹ／Ｃ分離動き検出回路を設けて、これによって現在のフレームの隣り合う３ラインのコンポジット映像信号と前のフレームの隣り合う３ラインのコンポジット映像信号に基づき現在のフレーム及び前のフレームにおけるＹ信号を求め、これらのＹ信号に応じて、Ｙ動き検出部により現在フレームのＹ信号と前のフレームのＹ信号の差分に応じてＹ動き検出を行い、Ｙ動き検出信号ＭＶＤｙ  が出力され、また、Ｃ動き検出部により、現在のフレームにおける隣り合う３ラインのＹ信号に基づきＣ動き検出が行われ、Ｃ動き検出信号ＭＶＤｃ  が出力される。そして、仮３ＤＹ／Ｃ分離動き検出回路において動き検出信号ＭＶＤｙ  とＭＶＤｃ  の何れかが動きを示すとき、動きありを示す動き検出信号ＭＶＤを出力し、Ｃ動き検出回路４０Ａにおいて、動き検出信号ＭＶＤに応じて現在のフレームと前のフレームから分離したＣ信号の差分、または所定の値０を選択し、Ｃ動き係数を生成し、そして、Ｙ動き検出回路３０によって求めたＹ動き係数のうち最も大きい値を動き係数ＭＶＣとして出力するので、当該動き係数ＭＶＣに基づき画像の動きを判定することができ、当該判定結果に基づき適宜Ｙ／Ｃ分離を行うことができるので、動き検出の精度を向上でき、誤検出の発生を防止できる。
【０１１２】
第２実施形態
図１０は本発明に係る映像信号処理装置の第２の実施形態を示す構成図である。
図示のように、本実施形態の映像信号処理装置は、コムフィルタ１０，２０、Ｙ動き検出回路３０、Ｃ動き検出回路４０Ｂ、最大値回路（ＭＡＸ）５０及び伸長回路６０を有している。
【０１１３】
図１に示す本発明の第１の実施形態に較べて、本実施形態の映像信号処理装置は、Ｃ動き検出回路４０Ｂの構成が第１の実施形態のＣ動き検出回路４０Ａと異なる。それ以外の各構成部分は、第１の実施形態の対応部分とほぼ同じである。このため、以下の説明は、Ｃ動き検出回路４０Ｂを中心に行う。
【０１１４】
図１０に示すように、本実施形態の映像信号処理装置において、Ｃ動き検出回路４０Ｂは、仮３ＤＹ／Ｃ分離動き検出回路４０１Ａ、絶対値回路４０２，４０３、減算回路４０３、選択回路４０５，４０７、最大係数発生回路（ＭＡＧ）４０８、及びＣ動き係数生成回路４０６を有している。
【０１１５】
図示のように、本実施形態において、Ｃ動き検出回路４０Ｂでは、選択回路４０７及び最大係数発生回路４０８が追加されている。選択回路４０７は、仮３ＤＹ／Ｃ分離動き検出回路４０１Ａから出力される動き検出信号ＭＶＤ２に従って、選択回路４０５の出力、または最大係数発生回路４０８によって発生した所望の動き係数の何れかを選択して、動き係数生成回路４０６に出力する。
【０１１６】
以下、本実施形態のＣ動き検出回路４０Ｂの各部分の構成を説明する。
図１１は、本実施形態のＣ動き検出回路４０Ｂに用いられている仮３ＤＹ／Ｃ分離動き検出回路４０１Ａの構成を示す構成図である。
図１１に示すように、本実施形態において、仮３ＤＹ／Ｃ分離動き検出回路４０１Ａは、Ｙ動き検出部４２０とＣ動き検出部４４０を有している。
【０１１７】
Ｙ動き検出部４２０から、動き検出信号ＭＶＤ１が出力され、Ｃ動き検出部４４０から、動き検出信号ＭＶＤ２が出力される。即ち、動き検出信号ＭＶＤ１は、Ｙ動き検出信号であり、動き検出信号ＭＶＤ２は、Ｃ動き検出信号である。
【０１１８】
図１０に示すように、Ｃ動き検出回路４０Ｂにおいて、絶対値回路４０２と４０２から現在フレームのＣ信号Ｃｃｕｒ  と前のフレームのＣ信号Ｃｐｓｔ  がそれぞれ出力される。減算回路４０４により、これらのＣ信号の絶対値の差が出力される。
【０１１９】
選択回路４０５は、仮３ＤＹ／Ｃ分離動き検出回路４０１Ａから出力される動き検出信号ＭＶＤ１に応じて、減算回路４０４の結果または所望の値、例えば、０を選択する。動き検出信号ＭＶＤ１が動きがあることを示しているとき、選択回路４０５は、減算回路４０４の出力を選択し、逆に、動き検出信号ＭＶＤ１が動きがないことを示しているとき、選択回路４０５は、０データを選択する。
【０１２０】
選択回路４０７は、仮３ＤＹ／Ｃ分離動き検出回路４０１Ａから出力される動き検出信号ＭＶＤ２に応じて、選択回路４０５の出力データまたは最大係数発生回路４０８によって出力される最大係数の何れかを選択する。
【０１２１】
最大係数発生回路４０８は、動き係数の最大値を発生する。ここで、例えば、動き係数を４ビットの正整数で表す場合、動き係数の最大値は１５（１６進数の０ｘｆｆ）となり、このとき、最大係数発生回路４０８は、この最大値１５を出力する。
【０１２２】
選択回路４０７は、仮３ＤＹ／Ｃ分離動き検出回路４０１Ａから出力される動き検出信号ＭＶＤ２が動きがあることを示しているとき、最大係数発生回路４０８によって出力される最大の整数値を選択し、Ｃ動き係数生成回路４０６に出力する。一方、仮３ＤＹ／Ｃ分離動き検出回路４０１Ａから出力される動き検出信号ＭＶＤ２が動きがないことを示しているとき、選択回路４０６は、選択会Ｏ４０５の出力データを選択し、Ｃ動き係数生成回路４０６に出力する。
【０１２３】
即ち、本実施形態のＣ動き検出回路４０Ｂにおいて、仮３ＤＹ／Ｃ分離動き検出回路４０１Ａによって出力される２つの動き検出信号ＭＶＤ１，ＭＶＤ２に応じて、動き係数が生成される。まず、動き検出信号ＭＶＤ１、即ち、仮３ＤＹ／Ｃ分離動き検出回路４０１Ａを構成するＹ動き検出部４２０によって出力されるＹ動き検出信号が動きがあることを示しているとき、選択回路４０５によって現在のフレームと前のフレームのＣ信号の絶対値の差分データが選択され、逆に、動き検出信号ＭＶＤ１が動きがないことを示しているとき、データ０が選択される。次に、動き検出信号ＭＶＤ２、即ち、仮３ＤＹ／Ｃ分離動き検出回路４０１Ａを構成するＣ動き検出部４４０によって出力されるＣ動き検出信号が動きがあることを示しているとき、選択回路４０７によって、動き係数の最大値が選択され、逆に動き検出信号ＭＶＤ２が動きがないことを示しているとき、選択回路４０５の出力が選択される。
【０１２４】
即ち、選択回路４０５と４０７によって２回の選択が行われ、仮３ＤＹ／Ｃ分離動き検出回路４０１Ｂから出力される動き検出信号ＭＶＤ２が動きありを示しているとき、選択回路４０５によって、Ｃ信号絶対の差が選択され、仮３ＤＹ／Ｃ分離動き検出回路４０１Ｂから出力される動き検出信号ＭＶＤ２が動きありを示しているとき、動き係数の最大値が選択され、Ｃ動き係数生成回路４０６に供給されるので、Ｃ動き係数生成回路４０６によって、動きを示す動き係数ＭＶＣｃ  を生成することができる。
【０１２５】
以上説明したように、本実施形態によれば、Ｃ動き検出回路４０Ｂにおいて、仮３ＤＹ／Ｃ分離動き検出回路４０１Ａから出力される動き検出信号ＭＶＤ１とＭＶＤ２に応じて、縦続した２つの選択回路によりそれぞれ動き係数の選択が行われ、特に動き検出信号ＭＶＤ２、即ち、仮３ＤＹ／Ｃ分離動き検出回路４０１ＡにあるＣ動き検出部より出力されるＣ動き検出信号が動きありを示している場合、後段の選択回路４０７により動き係数の最大値が選択され、Ｃ動き係数生成回路４０６に供給されるので、動きの誤検出または検出漏れを防止でき、動き検出の精度を向上できる。
【０１２６】
【発明の効果】
以上説明したように、本発明の映像信号処理装置及びテレビ受像機によれば、コンポジット映像信号に基づき、動き検出の精度を向上でき、静止画における斜め線などの特定のパターンによる動きの誤検出を回避でき、動きの誤検出による画質の劣化を防止できる利点がある。
また、本発明によれば、コンポジット映像信号に基づき、仮の３次元Ｙ／Ｃ分離動き検出回路を用いて、Ｙ／Ｃ分離を行い、それによって得られた輝度信号及び色信号に基づき、動きがある場合輝度信号に残留した色信号成分の相関性に基づき、水平及び垂直方向において色信号成分の相関を検出し、当該検出結果に基づき、動きを判定するので誤判定または判定漏れを防止でき、動き判定の精度を改善できる。
【図面の簡単な説明】
【図１】本発明に係る映像信号処理装置の第１の実施形態を示す構成図である。
【図２】仮３ＤＹ／Ｃ分離動き検出回路の構成を示すブロック図である。
【図３】Ｙ動き検出部の構成を示す回路図である。
【図４】Ｃ動き検出部の構成を示す回路図である。
【図５】クロマ相関検出回路の構成を示すブロック図である。
【図６】クロマ水平相関検出部の構成を示す構成図である。
【図７】４ｆｓｃでサンプルした色信号の一例を示す波形図である。
【図８】孤立点除去回路及び伸長回路の構成と動作を示す図である。
【図９】クロマ垂直相関検出部の構成を示す構成図である。
【図１０】本発明に係る映像信号処理装置の第２の実施形態を示す構成図である。
【図１１】第２の実施形態にある仮３ＤＹ／Ｃ分離動き検出回路の構成を示すブロック図である。
【図１２】従来の映像信号処理装置の一構成例を示すブロック図である。
【符号の説明】
１０，２０…コムフィルタ、３０…Ｙ動き検出回路、４０，４０Ａ，４０Ｂ…Ｃ動き検出回路、５０…最大値回路、６０…伸長回路、４０１，４０１Ａ…仮３ＤＹ／Ｃ分離動き検出回路、４２０…Ｙ動き検出部、４４０…Ｃ動き検出部、４４４…クロマ相関検出回路、４４４−１…クロマ水平相関検出回路、４４４−２…クロマ垂直相関検出回路。
【図１】
2004312558.tif 000003
【図２】
2004312558.tif 000004
【図３】
2004312558.tif 000005
【図４】
2004312558.tif 000006
【図５】
2004312558.tif 000007
【図６】
2004312558.tif 000008
【図７】
2004312558.tif 000009
【図８】
2004312558.tif 000010
【図９】
2004312558.tif 000011
【図１０】
2004312558.tif 000012
【図１１】
2004312558.tif 000013
【図１２】
2004312558.tif 000014